(57)【要約】【課題】  別体のライトビューワ等を用いずに原稿を目視で確認できるようにする。【解決手段】  透過原稿を読み取ってデジタル画像データを生成する画像読み取り装置は、画像または情報を表示可能なモニタ装置１３を有し、画像データに基づく画像またはそれ以外の情報をモニタ装置１３の画面に表示せしめるとともに、原稿確認モードが設定されているときには、画像や情報の表示に代えて、透過原稿の透過光を目視で確認する際のバックライトとしての光を画面から射出する。原稿（ホルダ２０に保持される）の透過光は、確認窓１０ｂから目視で確認できる。バックライトの色バランスを変更できるようにしてもよい。【選択図】        図４
2006054544.tif 000002
【特許請求の範囲】
【請求項１】
透過原稿を読み取ってデジタル画像データを生成する画像読み取り装置において、
画像または情報を表示可能なモニタ装置を有し、
前記画像データに基づく画像またはそれ以外の情報を前記モニタ装置の画面に表示せしめるとともに、原稿確認モードが設定されているときには、前記画像や情報の表示に代えて、前記透過原稿の透過光を目視で確認する際のバックライトとしての光を前記画面から射出することを特徴とする画像読み取り装置。
【請求項２】
前記モニタ装置の表示画面は、前記画像または他の情報を確認するための通常位置と、前記透過原稿を確認するための原稿確認位置とに変更可能とされることを特徴とする請求項１に記載の画像読み取り装置。
【請求項３】
前記原稿確認位置にある画面からの光を装填された透過原稿に導く導光窓と、透過原稿の透過光を外部に射出する確認窓とを設けたことを特徴とする請求項２に記載の画像読み取り装置。
【請求項４】
前記バックライトとしての光の色バランスを変更可能としたことを特徴とする請求項１〜３のいずれかに記載の画像読み取り装置。
【発明の詳細な説明】
【技術分野】
【０００１】
本発明は、透過原稿の画像を読み取るフィルムスキャナ等の画像読み取り装置に関し、原稿の透過光を目視で確認する際の便宜を図ったものである。
【背景技術】
【０００２】
フィルムスキャナは、透過原稿としての現像済みフィルムを光学的に読み取ってデジタル画像信号に変換し、そのデジタル画像信号をケーブルを介してパーソナルコンピュータ等の外部装置に送信する。原稿フィルムとしては、１駒ずつ切り離してマウントされたスライドマウントや、複数駒（例えば、６駒）から成るストリップフィルムなどがあり、これらはアダプタを変えることで同一のスキャナに装填しスキャンすることができる。
【０００３】
一方、液晶モニタなどの表示装置を備え、スキャンした画像を表示装置に表示可能なスキャナが知られている。これによれば、スキャナを外部装置に接続しなくても単独で画像の確認を行える（例えば、特許文献１参照）。
【０００４】
【特許文献１】特開２００２−１６７４４号公報
【発明の開示】
【発明が解決しようとする課題】
【０００５】
ところで、フィルムスキャンを行う際には、まずスキャンすべき原稿を選び、なおかつストリップフィルムの場合には、いずれの駒をスキャンするのかを決める必要がある。この場合、原稿フィルムを直接見て何が写っているのかを事前に確認できれば便利であるが、それにはフィルムを裏面から照明するバックライトが不可欠となる。従来は、ライトビューワ（ライトボックス）などの上にフィルムを置き、フィルムを透過した光を目視して確認作業を行っているが、かかるビューワをいちいち用意する手間が煩わしく、またスキャナとは別にビューアの設置スペースをも確保しなければならないという問題もある。
【課題を解決するための手段】
【０００６】
本発明は、透過原稿を読み取ってデジタル画像データを生成する画像読み取り装置に適用される。画像読み取り装置は、画像または情報を表示可能なモニタ装置を有し、画像データに基づく画像またはそれ以外の情報をモニタ装置の画面に表示せしめるとともに、原稿確認モードが設定されているときには、画像や情報の表示に代えて、透過原稿の透過光を目視で確認する際のバックライトとしての光を前記画面から射出する。
請求項２の発明は、モニタ装置の画面が、画像または他の情報を確認するための通常位置と、透過原稿を確認するための原稿確認位置とに変更可能とされるものである。
請求項３の発明は、原稿確認位置にある画面からの光を装填された透過原稿に導く導光窓と、透過原稿の透過光を外部に射出する確認窓とを設けたものである。
請求項４の発明は、バックライトとしての光の色バランスを変更可能としたものである。
【発明の効果】
【０００７】
本発明によれば、画像読み取り装置が持つモニタ装置を原稿確認用のバックライトとして兼用したので、ライトビューワなどの別の確認手段は不要となり、それらを用意する手間が省けるとともに、その設置スペースを確保する必要もなくなる。
【発明を実施するための最良の形態】
【０００８】
図１〜図５により本発明をフィルムスキャナに適用した場合の一実施の形態を説明する。
図１〜図４は本実施形態におけるフィルムスキャナの外観を示し、１０はスキャナ本体、２０は原稿フィルムがセットされるフィルムホルダである。スキャナ本体１０には原稿装填口１１が設けられ、ここからフィルムホルダ２０が本体内部に装填される。このホルダ２０はストリップフィルム用のものであるが、不図示のマウントアダプタを用いれば、スライドマウントを装填することもできる。また、ホルダを用いずにストリップフィルムを直接装填するタイプのものでもよい。装填口１１の下方にはカードスロット１２が設けられ、ここに装填されたメモリカードＭＣに画像データを記録することができる。
【０００９】
さらに本実施形態のスキャナは、バックライト付きのカラー液晶モニタ１３を有している。液晶モニタ１３の筐体は、図１〜図３に示す開位置と、図４に示す閉位置との間で本体１０に回動可能に軸支され、これにより液晶画面３ａの角度を変更できるようになっている。図５に示すように、液晶モニタ１３は、液晶駆動部３ｂと、バックライト３ｃと、バックライト制御部３ｄとを有し、これらはＣＰＵ３２によって制御される。画面１３ａにはスキャンした画像を表示することができる他、原稿確認用のバックライトとして用いることもできる（後で詳述する）。
【００１０】
図５を参照してフィルムスキャナの基本的な機能を説明する。
フィルムスキャナは、外部インターフェース３１を介してパーソナルコンピュータ等の外部装置４０にケーブル接続（例えば、ＵＳＢ接続）され、外部装置４０側に組み込んだドライバソフトウェアウェアにて制御される。また、外部装置４０に接続することなく単独でも使用可能である。
【００１１】
画像読み取り（スキャン）に際し、ストリップフィルムがセットされたホルダ２０を装填口１１に挿入すると、ＣＰＵ３２は搬送装置３３を駆動してホルダ２０を搬送し、スキャンすべき駒を読み取り位置にセットする。光源ドライバ３４を介して光源３５を点灯すると、光源３５からの光がフィルムの読み取り駒部分を透過し、その透過光がＣＣＤ等の読み取りセンサ３６に受光される。読み取りセンサ３６は、受光光量に応じた電気的画像信号を生成し、その光電変換出力に種々の処理が施されることでデジタル画像データが生成される。
【００１２】
ここで、読み取りセンサ３６はラインセンサでもエリアセンサでもよいが、ラインセンサを用いた場合には、センサと原稿とを１列ずつ相対移動させるスキャン駆動を行う必要がある。一方、フィルム１駒分の画素数を持つエリアセンサを用いれば、１度の読み取りで１駒分の画像信号を得ることができるので、スキャン駆動は不要となる。
【００１３】
生成された画像データは外部装置４０に転送され、外部装置４０側のモニタで観賞することができる。また、画像データを画像記録装置３７（例えば、ハードディスク）に記録できる他、記録回路３８を介してメモリカードＭＣに記録することもできる。いずれか一方の記録機能のみでもよい。双方の記録機能を有している場合には、いずれを優先的に使用するかを予め選択できるようにしてもよい。ただし、メモリカードＭＣへの記録を優先するには、空き容量のあるメモリカードＭＣが装填されていることが前提となる。
【００１４】
次に、液晶モニタ１３の機能について説明する。
通常の画像確認モードでは、図１に示すように液晶モニタ１３を開状態とする。この状態で、画像記録装置３７またはメモリカードＭＣに記録されている画像データのうち任意の画像を画面１３ａに表示することができる。これによれば、スキャナを外部装置４０に接続しなくても画像を確認できる。あるいは液晶モニタ１３と外部モニタの双方を使用し、互いに異なるスキャン画像を表示させるようにもできる。画像以外にもスキャナの設定情報やメッセージなどを文字で、あるいはグラフィカルに表示でき、モニタ１３を見ながら種々の設定を行うことができる。外部モニタに画像を表示すると同時に、液晶モニタ１３に操作を促すメッセージを表示するようにもできる。
【００１５】
さらに、原稿確認モードを設定することで、液晶モニタ１３を原稿確認用のバックライトとして使用することもできる。この場合は、図４に示すように液晶モニタ１３を閉じて用いる。スキャナ本体１０には、原稿装填部を挟んで両側に導光窓１１ａ，確認窓１１ｂがそれぞれ形成され、モニタ１３を閉じた状態では、画面１３ａ，導光窓１１ａ，原稿フィルムおよび確認窓１１ｂが重なった状態となる。この状態では、画面１３ａからの光が導光窓１１ａを通過し、バックライトとして原稿フィルムに照射され、フィルムを透過した光が確認窓１１ｂから反対側に射出される。したがって、液晶駆動部３ｂおよびバックライト制御部３ｄを介して画面１３ａを例えば白色発光表示にすることで、原稿の画像を確認窓１１ｂから目視にて確認できる。その際、図４のように確認窓１１ｂが上にくるようにスキャナを寝かせれば、スキャナが低い位置にあっても確認窓１１ｂを上から覗くことができ、確認しやすい。また、ホルダ２０を搬送することで、任意の駒の確認が可能である。確認窓１１ｂは素通しでもよいが、ここに凸レンズを嵌め込むことで、フィルム画像を拡大して見ることができ、視認性が高まる。
【００１６】
ここで、液晶モニタ１３を閉じるとＣＰＵ３２が自動的に原稿確認モードを設定し、上記白色発光表示を行うようにすると使い勝手がよい。あるいは別途モード切換スイッチを設け、通常の画像確認モードと原稿確認モードとを切換えるようにしてもよい。さらには、任意の画像を目視確認している状態で所定の操作を行うと、その画像のスキャンが開始されるようにすれば、目視で気に入った画像のみをスキャンできる。
【００１７】
原稿確認時の画面色は白色に限定されず、光の色温度や明るさ、色合いなどを調整可能とすれば、ユーザの好みのバックライト色にすることができる。例えば、濃度の高い露出アンダーの画像であれば明るめに調整したり、あるいはフィルムの色かぶりを簡易的に軽減するように色バランスを変更できる。さらに、原稿がネガフィルムであった場合には、オレンジベースがキャンセルされるようにＲ＜Ｇ＜Ｂの発光バランスで発光させることで、オレンジ系の画像がグレーに見え、視認性が向上する。「ネガ」か「ポジ」かをスイッチ操作で切換えると、それぞれに適した色で発光されるようにすると便利である。
【００１８】
このように、画像表示用の液晶モニタ１３を原稿確認用のバックライトとして使用することで、ライトビューアなどの別体の確認用機材は不要となる。したがって、これらの確認用機材を用意する手間が省け、またそれらの設置スペースに気を配る必要もなく、スキャナ回りが煩雑になることもない。さらに、バックライト色の変更といった、従来のビューワにはない機能を比較的簡単に持たせることができ、利便性が高まる。
【００１９】
原稿確認モードにおける確認方法は実施形態に限定されず、例えば液晶モニタ１３を図２のＰ位置まで１８０度回動可能とし、この状態で画面１３ａ上に原稿フィルムを置いて見るようにしてもよい。これによれば、フィルムをスキャナ本体１０に装填することなく、またフィルムをホルダ２０にセットすることもなく、従来のライトビューアに近い感覚で画像の確認を行える。
【００２０】
また原稿確認モードでは、モニタ１３の画面全体を発光させるのではなく、フィルム１駒の露光範囲（例えば、２４ｍｍ×３６ｍｍ）に対応する部分のみを発光させるようにしてもよい。これによれば、周辺から余計な光が入射することがないので、視認性が高まる。さらに、一般に露光画像は、撮影レンズの特性により露光範囲の中央よりも周辺部が暗くなりがちである。そこで、逆に露光範囲の中央よりも周囲が明るくなるようにモニタ画面を発光すれば、周辺光量の低下を補った状態でフィルムの目視確認が行える。なお、液晶モニタ１３は、開閉式でなく固定的に設けられていてもよい。
【図面の簡単な説明】
【００２１】
【図１】本発明の一実施形態におけるフィルムスキャナ（画像読み取り装置）の概略斜視図であり、通常の画像確認モード設定時の状態を示す。
【図２】フィルムスキャナの上面図。
【図３】フィルムスキャナの側面図。
【図４】フィルムスキャナの斜視図であり、原稿確認モード設定時の状態を示す。
【図５】フィルムスキャナの制御系のブロック図。
【符号の説明】
【００２２】
１０  スキャナ本体
１０ａ  導光窓
１０ｂ  確認窓
１３  液晶モニタ
１３ａ  液晶画面
１３ｂ  液晶駆動部
１３ｃ  バックライト
１３ｄ  バックライト制御部
２０  フィルムホルダ
３２  ＣＰＵ
３６  読み取りセンサ
３５  光源
４０  外部装置
【図１】
2006054544.tif 000003
【図２】
2006054544.tif 000004
【図３】
2006054544.tif 000005
【図４】
2006054544.tif 000006
【図５】
2006054544.tif 000007